(57)【要約】【課題】圧縮機本体に固定された支持台に、支持台に取り付けられたバンドでアキュムレータが固定される圧縮機ユニットであって、アキュムレータの振動による騒音を抑制可能な圧縮機ユニットを提供する。【解決手段】圧縮機ユニットは、圧縮機本体１０と、上下方向に延びるアキュムレータ４０と、第１及び第２当接部６２ａ，６２ｂにおいてアキュムレータと当接してこれを支持する支持台５０と、を備える。上下方向に沿って見た時に、第１及び第２当接部は圧縮機本体の中心Ｏを円弧中心とし且つアキュムレータの中心Ｐを通る円弧とアキュムレータの外周面とが交わる交点Ａ１，Ａ２の一方からアキュムレータの中心周りに±４５度の範囲に位置するアキュムレータの外周面４０ａの一部と当接し、支持台は中心Ｏを通るアキュムレータの接線Ｌ１，Ｌ２と圧縮機本体の外周面との交点Ｂ１，Ｂ２よりも外側に張り出して圧縮機本体に固着される固定部７２を有する。【選択図】図３
2018035711.tif 000002
【特許請求の範囲】
【請求項１】
圧縮機本体（１０）と、
前記圧縮機本体に吸込管（３０）を介して接続されている、第１方向に延びる円柱状のアキュムレータ（４０）と、
前記圧縮機本体の側面に固定され、前記アキュムレータと少なくとも第１当接部（６２ａ）及び第２当接部（６２ｂ）において当接し、前記アキュムレータを支持する支持台（５０，１５０）と、
前記支持台に取り付けられ、前記アキュムレータに巻き掛けられて前記アキュムレータを前記支持台に固定するバンド（８０）と、
を備え、
前記第１方向に沿って見た時に、前記第１当接部及び前記第２当接部は、それぞれ、前記圧縮機本体の中心（Ｏ）を円弧中心とし且つ前記アキュムレータの中心（Ｐ）を通る円弧（Ｃ１）と前記アキュムレータの外周面（４０ａ）とが交わる２つのアキュムレータ交点（Ａ１，Ａ２）の一方から、前記アキュムレータの前記中心周りに±４５度の範囲に位置する前記アキュムレータの外周面の少なくとも一部と当接し、
かつ、
前記第１方向に沿って見た時に、前記支持台は、前記圧縮機本体の前記中心を通る２本の前記アキュムレータの接線（Ｌ１，Ｌ２）と前記圧縮機本体の外周面（２２ａ）との２つの圧縮機本体交点（Ｂ１，Ｂ２）よりも外側に張り出した固定部（７２，１７２）を有し、少なくとも前記固定部が前記圧縮機本体の前記外周面に固着されている、
圧縮機ユニット（１００）。
【請求項２】
前記第１方向に沿って見た時に、前記第１当接部及び前記第２当接部は、それぞれ、前記アキュムレータ交点の一方から、前記アキュムレータの前記中心周りに±２５度の範囲に位置する前記アキュムレータの外周面の少なくとも一部と当接する、
請求項１に記載の圧縮機ユニット。
【請求項３】
前記バンドの両端（８２，８４）は、前記第１方向に沿って見た時に前記支持台の両端に配置される前記支持台の第１バンド支持部（６４ａ）及び第２バンド支持部（６４ｂ）にそれぞれ取り付けられ、
前記第１バンド支持部及び前記第２バンド支持部は、それぞれ、前記第１当接部及び前記第２当接部の近傍に配置される、
請求項１又は２に記載の圧縮機ユニット。
【請求項４】
前記支持台（５０）は、前記第１当接部及び前記第２当接部を有するアーム部材（６０）と、前記アーム部材から前記圧縮機本体側に延び、前記固定部（７２）を有するリブ（７０）と、を含む、
請求項１から３のいずれか１項に記載の圧縮機ユニット。
【請求項５】
前記バンドは金属製であって、
前記アキュムレータと前記バンドとの間、及び、前記アキュムレータと前記支持台との接触箇所の間、にはゴム（９０）が配置される、
請求項１から４のいずれか１項に記載の圧縮機ユニット。
【請求項６】
前記アキュムレータは、前記バンドに作用する張力によって前記支持台に押し付けられる、
請求項１から５のいずれか１項に記載の圧縮機ユニット。
【発明の詳細な説明】
【技術分野】
【０００１】
本発明は、圧縮機ユニット、より具体的には、圧縮機本体及びアキュムレータを備える圧縮機ユニットに関する。
【背景技術】
【０００２】
従来、圧縮機本体の側面に固定された支持台にバンドが取り付けられ、バンドによりアキュムレータが支持台に固定されている圧縮機ユニットが知られている。このような圧縮機ユニットでは、圧縮機の振動により加振されてアキュムレータが振動し、騒音の原因となる場合がある。
【０００３】
このような問題に対し、例えば特許文献１（特開２００７−４６５７２号公報）では、騒音を抑制するために圧縮機とアキュムレータとの間に防振部材を配置した圧縮機ユニットが提案されている。
【発明の概要】
【発明が解決しようとする課題】
【０００４】
しかし、特許文献１（特開２００７−４６５７２号公報）に開示された圧縮機ユニットには、圧縮機本体の円周方向に沿ったアキュムレータの振動に起因する騒音の発生に対し改善の余地がある。
【０００５】
本発明の課題は、圧縮機本体の側面に固定された支持台にバンドが取り付けられ、バンドによりアキュムレータが支持台に固定される圧縮機ユニットであって、アキュムレータの振動による騒音の発生を抑制可能な圧縮機ユニットを提供することにある。
【課題を解決するための手段】
【０００６】
本発明の第１観点に係る圧縮機ユニットは、圧縮機本体と、円柱状のアキュムレータと、アキュムレータを支持する支持台と、バンドと、を備える。アキュムレータは、圧縮機本体に吸込管を介して接続されている。アキュムレータは、第１方向に延びる。支持台は、圧縮機本体の側面に固定されている。支持台は、アキュムレータと少なくとも第１当接部及び第２当接部において当接する。バンドは、支持台に取り付けられる。バンドは、アキュムレータに巻き掛けられてアキュムレータを支持台に固定する。アキュムレータ交点は、第１方向に沿って見た時に、圧縮機本体の中心を円弧中心とし且つアキュムレータの中心を通る円弧とアキュムレータの外周面とが交わる交点である。第１当接部及び第２当接部は、それぞれ、２つのアキュムレータ交点の一方から、アキュムレータの中心周りに±４５度の範囲に位置するアキュムレータの外周面の少なくとも一部と当接する。第１方向に沿って見た時に、支持台は、圧縮機本体の中心を通る２本のアキュムレータの接線と圧縮機本体の外周面との２つの圧縮機本体交点よりも外側に張り出した固定部を有する。少なくとも固定部は、圧縮機本体の外周面に固着されている。
【０００７】
なお、バンドがアキュムレータに巻き掛けられるとは、バンドがアキュムレータに直接巻き掛けられる場合の他、バンドがアキュムレータに他の部材を介して巻き掛けられる場合を含む。また、第１当接部及び第２当接部とアキュムレータの外周面とが当接するとは、第１当接部及び第２当接部とアキュムレータの外周面とが直接当接する場合の他、第１当接部及び第２当接部とアキュムレータの外周面とが他の部材を介して当接する場合を含む。
【０００８】
なお、固定部と圧縮機本体の外周面との固着には、限定するものではないが、溶着及び接着を含む。
【０００９】
本発明の第１観点に係る圧縮機ユニットでは、第１方向に沿って見た時に、支持台が、アキュムレータの中心周りにアキュムレータ交点から±４５度の範囲に位置するアキュムレータの外周面と当接している。これにより、圧縮機本体の円周方向にアキュムレータがしっかりと支持される。そのため、第１当接部及び第２当接部が上記の範囲よりも圧縮機本体側でアキュムレータに当接する場合に比べ、圧縮機本体の円周方向に沿ったアキュムレータの振動を支持台により抑制し、騒音発生を抑制することができる。また、ここでは、第１方向に沿って見た時に、支持台が、圧縮機本体交点よりも外側に張り出して圧縮機本体の側面に固着されている固定部を有している。そのため、支持台の変形や振動を抑え、アキュムレータの振動を容易に抑制することができる。
【００１０】
本発明の第２観点に係る圧縮機ユニットは、第１観点に係る圧縮機ユニットであって、第１方向に沿って見た時に、第１当接部及び第２当接部は、それぞれ、アキュムレータ交点の一方から、アキュムレータの中心周りに±２５度の範囲に位置するアキュムレータの外周面の少なくとも一部と当接する。
【００１１】
本発明の第２観点に係る圧縮機ユニットでは、第１方向に沿って見た時に、支持台が、アキュムレータの中心周りにアキュムレータ交点から±２５度の範囲に位置するアキュムレータの外周面と当接している。これにより、圧縮機本体の円周方向にアキュムレータがより確実に支持される。そのため、圧縮機本体の円周方向に沿ったアキュムレータの振動を支持台によって抑制し、騒音の発生を抑制することがより容易である。
【００１２】
本発明の第３観点に係る圧縮機ユニットは、第１観点又は第２観点に係る圧縮機ユニットであって、バンドの両端は、第１方向に沿って見た時に支持台の両端に配置される支持台の第１バンド支持部及び第２バンド支持部にそれぞれ取り付けられている。第１バンド支持部及び第２バンド支持部は、それぞれ、第１当接部及び第２当接部の近傍に配置される。
【００１３】
本発明の第３観点に係る圧縮機ユニットでは、バンド支持部を当接部の近傍に配置することで、バンドによりアキュムレータを支持台にしっかりと固定することが容易である。
【００１４】
本発明の第４観点に係る圧縮機ユニットは、第１観点から第３観点のいずれかに係る圧縮機ユニットであって、支持台は、アーム部材と、リブと、を含む。アーム部材は、第１当接部及び第２当接部を有する。リブは、アーム部材から圧縮機本体側に延びる。リブは、固定部を有する。
【００１５】
本発明の第４観点に係る圧縮機ユニットでは、支持台の大型化・重量化を抑制しつつ、支持台に必要な強度を与え、圧縮機本体の円周方向に沿ったアキュムレータの振動を抑制することが容易である。
【００１６】
本発明の第５観点に係る圧縮機ユニットは、第１観点から第４観点のいずれかに係る圧縮機ユニットであって、バンドは金属製である。アキュムレータとバンドとの間、及び、アキュムレータと支持台との接触箇所の間、にはゴムが配置される。
【００１７】
本発明の第５観点に係る圧縮機ユニットでは、アキュムレータと、バンド又は支持台とが片当たりすることを防止し、アキュムレータをしっかりと固定することができる。
【００１８】
本発明の第６観点に係る圧縮機ユニットは、第１観点から第５観点のいずれかに係る圧縮機ユニットであって、アキュムレータは、バンドに作用する張力によって支持台に押し付けられる。
【００１９】
本発明の第６観点に係る圧縮機ユニットでは、バンドに作用する張力によってアキュムレータを支持台に押し付け、アキュムレータをしっかりと支持台に固定することが可能である。
【発明の効果】
【００２０】
本発明の第１観点に係る圧縮機ユニットでは、第１方向に沿って見た時に、支持台が、アキュムレータの中心周りにアキュムレータ交点から±４５度の範囲に位置するアキュムレータの外周面と当接している。これにより、圧縮機本体の円周方向にアキュムレータがしっかりと支持される。そのため、第１当接部及び第２当接部が上記の範囲よりも圧縮機本体側でアキュムレータに当接する場合に比べ、圧縮機本体の円周方向に沿ったアキュムレータの振動を支持台により抑制し、騒音発生を抑制することができる。また、ここでは、第１方向に沿って見た時に、支持台が、圧縮機本体交点よりも外側に張り出して圧縮機本体の側面に固着されている固定部を有している。そのため、支持台の変形や振動を抑えて、アキュムレータの振動を容易に抑制することができる。
【００２１】
本発明の第２観点に係る圧縮機ユニットでは、圧縮機本体の円周方向に沿ったアキュムレータの振動を支持台によって抑制し、騒音の発生を抑制することがより容易である。
【００２２】
本発明の第３観点に係る圧縮機ユニットでは、バンドによりアキュムレータを支持台にしっかりと固定することが容易である。
【００２３】
本発明の第４観点に係る圧縮機ユニットでは、支持台の大型化・重量化を抑制しつつ、支持台に必要な強度を与え、圧縮機本体の円周方向に沿ったアキュムレータの振動を抑制することが容易である。
【００２４】
本発明の第５観点に係る圧縮機ユニットでは、アキュムレータと、バンド又は支持台とが片当たりすることを防止し、アキュムレータをしっかりと固定することができる。
【００２５】
本発明の第６観点に係る圧縮機ユニットでは、アキュムレータをしっかりと支持台に固定することが可能である。
【図面の簡単な説明】
【００２６】
【図１】本発明の一実施形態に係る圧縮機ユニットの概略側面図である。
【図２】図１の圧縮機ユニットの概略構成図である。
【図３】図１の圧縮機ユニットのIII−III矢視の断面図である。圧縮機本体内及びアキュムレータ内の構造の描画は省略している。
【図４】変形例Ｂの圧縮機ユニットの断面図である。圧縮機ユニットを図３と同様の断面で切断した断面図である。圧縮機本体内の及びアキュムレータ内の構造の描画は省略している。
【発明を実施するための形態】
【００２７】
以下に、本発明の一実施形態に係る圧縮機ユニット１００について図面を参照しながら説明する。
【００２８】
なお、以下に説明する圧縮機ユニット１００は、本発明に係る圧縮機ユニットの一例であって、本発明を限定するものではない。圧縮機ユニットの構成は、本発明の要旨を逸脱しない範囲で適宜変更可能である。
【００２９】
（１）全体構成
本実施形態に係る圧縮機ユニット１００は、冷媒を圧縮するために使用される。圧縮機ユニット１００は、例えば、空気調和装置の室外機に使用され、空気調和装置の冷媒回路の一部を構成する。圧縮対象の冷媒は、例えばＨＦＣ冷媒のＲ３２である。ただし、冷媒の種類は、例示であって、Ｒ３２に限定されるものではない。
【００３０】
圧縮機ユニット１００は、主に、圧縮機本体１０と、アキュムレータ４０と、支持台５０と、バンド８０と、ゴム９０と、を備える（図１及び図３参照）。
【００３１】
（２）詳細構成
圧縮機ユニット１００の各構成について以下に説明する。
【００３２】
以下の説明では、位置や方向の説明のため、「上」、「下」等の表現を用いる場合があるが、特記無き場合、図１中の矢印Ｕの方向を上とする。
【００３３】
（２−１）圧縮機本体
圧縮機本体１０は、ケーシング２０と、圧縮機構１１と、モータ１２と、シャフト１３と、を主に有する（図２参照）。
【００３４】
ケーシング２０は、円柱状の容器である（図１及び図３参照）。ケーシング２０は、その内部に圧縮機構１１と、モータ１２と、シャフト１３と、を収容している。ケーシング２０は、円筒部２２と、トップ２１ａと、ボトム２１ｂと、を含む（図１参照）。円筒部２２は、上下方向に延びる円筒状の部材である。トップ２１ａ及びボトム２１ｂは、椀状の部材である。トップ２１ａは、円筒部２２の上方の開口を塞ぐように、例えば溶接により取り付けられている。ボトム２１ｂは、円筒部２２の下方の開口を塞ぐように、例えば溶接により取り付けられている。
【００３５】
円筒部２２の下部には、吸込管３０が取り付けられている（図１参照）。吸込管３０は、アキュムレータ４０と圧縮機本体１０とを接続する。圧縮機本体１０の圧縮機構１１には、吸込管３０を介して、冷凍サイクルにおける低圧の冷媒が供給される。
【００３６】
トップ２１ａには、吐出管３５が取り付けられている（図１参照）。圧縮機構１１により圧縮された冷凍サイクルにおける高圧の冷媒は、吐出管３５から圧縮機本体１０の外に吐出される。
【００３７】
圧縮機構１１は、シャフト１３を介してモータ１２に接続される（図２参照）。圧縮機構１１は、限定するものではないが、例えば、ロータリ機構、スクロール機構又はスイング機構である。モータ１２が運転されると、吸込管３０から流入した冷媒が圧縮機構１１により圧縮される。圧縮機構１１による圧縮後の冷媒は、吐出管３５から吐出される。
【００３８】
（２−２）アキュムレータ
アキュムレータ４０は、冷媒の気液分離や冷媒の貯留を行う容器である。
【００３９】
アキュムレータ４０は、上下方向に延びる円柱状の容器である（図１及び図３参照）。円柱状の圧縮機本体１０のケーシング２０の中心軸と、円柱状のアキュムレータ４０の中心軸とは、概ね平行に上下方向に延びる。アキュムレータ４０は、圧縮機本体１０に吸込管３０を介して接続されている。アキュムレータ４０の上部に接続された配管４１（図１参照）から流入した冷媒はアキュムレータ４０により気液分離され、気体の冷媒は、吸込管３０を介して圧縮機本体１０の圧縮機構１１に供給される。
【００４０】
（２−３）支持台
支持台５０は、アキュムレータ４０を支持する部材である。
【００４１】
支持台５０は、圧縮機本体１０の側面に固定されている。具体的には、支持台５０は、圧縮機本体１０のケーシング２０の円筒部２２の側面に固定されている（図１参照）。
【００４２】
支持台５０は、アーム部材６０と、リブ７０と、を含む（図１及び図３参照）。
【００４３】
（２−３−１）アーム部材
アーム部材６０は、主に、連結部６６と、２本のアーム６８と、第１当接部６２ａ及び第２当接部６２ｂと、第１バンド支持部６４ａ及び第２バンド支持部６４ｂと、を有する（図３参照）。限定するものではないが、アーム部材６０は、連結部６６、アーム６８、第１当接部６２ａ及び第２当接部６２ｂ、及び第１バンド支持部６４ａ及び第２バンド支持部６４ｂが一体に形成された部材である。アーム部材６０は、限定するものではないが、例えば金属製である。
【００４４】
アーム部材６０は、連結部６６において、圧縮機本体１０のケーシング２０の円筒部２２の側面に連結されている。平面視において、連結部６６は、ケーシング２０の円筒部２２の外周面２２ａに沿うように円弧状に形成されている（図３参照）。
【００４５】
連結部６６は、アーム部材固定部６７においてケーシング２０の円筒部２２の外周面２２ａと固着されている。アーム部材固定部６７は、平面視において、連結部６６の中央部に配置される（６７の符号を付した丸の位置を参照）。例えば、連結部６６は、アーム部材固定部６７においてケーシング２０の円筒部２２の外周面２２ａと溶着されている。具体的には、連結部６６は、例えば、アーム部材固定部６７においてケーシング２０の円筒部２２の外周面２２ａとスポット溶接により溶着されている。
【００４６】
なお、連結部６６と外周面２２ａとの固着方法は例示であって、連結部６６は、アーム部材固定部６７において外周面２２ａと接着されてもよい。また、ここでは、連結部６６の一部でのみケーシング２０の円筒部２２の外周面２２ａと固着されているが、連結部６６の全体がケーシング２０の円筒部２２の外周面２２ａと固着されてもよい。また、ここでは、連結部６６が１箇所でのみケーシング２０の円筒部２２の外周面２２ａと固着されているが、連結部６６は複数箇所でケーシング２０の円筒部２２の外周面２２ａと固着されてもよい。
【００４７】
２本のアーム６８のそれぞれは、平面視において、連結部６６の両端の一方から、圧縮機本体１０（ケーシング２０の円筒部２２）から離れるように延びる（図３参照）。連結部６６から延びる各アーム６８には、それぞれ、第１当接部６２ａ及び第２当接部６２ｂが設けられている（図３参照）。第１当接部６２ａ及び第２当接部６２ｂは、それぞれ、連結部６６から延びる各アーム６８の先端に設けられている（図３参照）。
【００４８】
第１当接部６２ａ及び第２当接部６２ｂは、支持台５０が支持するアキュムレータ４０と当接する。後述するように、バンド８０に作用する張力によってアキュムレータ４０が第１当接部６２ａ及び第２当接部６２ｂに押し付けられることで、アキュムレータ４０は、支持台５０に固定される。
【００４９】
側面視において、第１当接部６２ａ及び第２当接部６２ｂは、アキュムレータ４０の中央部付近に当接する（図１参照）。言い換えれば、上下方向において、第１当接部６２ａ及び第２当接部６２ｂは、アキュムレータ４０の中央部付近に当接する（図１参照）。
【００５０】
平面視における、つまり、上下方向に沿って圧縮機ユニット１００を見た時の（特に、以下の説明では下向きに圧縮機ユニット１００を見た時の）、第１当接部６２ａ及び第２当接部６２ｂの、アキュムレータ４０の外周面４０ａへの当接位置について、主に図３の断面図を参照しながら以下に説明する。
【００５１】
初めに、アキュムレータ交点Ａ１，Ａ２を定義する。アキュムレータ交点Ａ１，Ａ２は、下向きに見た時に、円柱状の圧縮機本体１０（ケーシング２０）の中心Ｏを円弧中心とし且つアキュムレータ４０の中心Ｐを通る仮想の円弧Ｃ１と、アキュムレータ４０の外周面４０ａとが交わる交点である（図３参照）。
【００５２】
次に、第１当接部６２ａ及び第２当接部６２ｂの、アキュムレータ４０の外周面４０ａへの当接位置について説明する。なお、第１当接部６２ａ及び第２当接部６２ｂと、アキュムレータ４０の外周面４０ａとが当接するとは、第１当接部６２ａ及び第２当接部６２ｂとアキュムレータ４０の外周面４０ａとが直接当接する場合の他、第１当接部６２ａ及び第２当接部６２ｂとアキュムレータ４０の外周面４０ａとが他の部材を介して当接する場合を含む。本実施形態では、第１当接部６２ａ及び第２当接部６２ｂと、アキュムレータ４０の外周面４０ａとはゴム９０を介して当接している。
【００５３】
下向きに見た時に、第１当接部６２ａは、アキュムレータ交点Ａ１から、アキュムレータ４０の中心Ｐ周りに±α度の範囲に位置するアキュムレータ４０の外周面４０ａの少なくとも一部と当接する。また、下向きに見た時に、第２当接部６２ｂは、アキュムレータ交点Ａ２から、アキュムレータ４０の中心Ｐ周りに±α度の範囲に位置するアキュムレータ４０の外周面４０ａの少なくとも一部と当接する。なお、ここでは、基準点（アキュムレータ交点Ａ１，Ａ２）に対する時計回りの角度を正の角度で表し、基準点に対する反時計回りの角度を負の角度で表している。
【００５４】
ここでは、第１当接部６２ａ及び第２当接部６２ｂとアキュムレータ４０の外周面４０ａとは、比較的狭い範囲で当接している。言い換えれば、第１当接部６２ａ及び第２当接部６２ｂとアキュムレータ４０の外周面４０ａとは、アキュムレータ交点Ａ１，Ａ２から、アキュムレータ４０の中心Ｐ周りに±α度の範囲に位置するアキュムレータ４０の外周面４０ａの一部と当接している。ただし、これに限定されるものではなく、第１当接部６２ａ及び第２当接部６２ｂとアキュムレータ４０の外周面４０ａとは、比較的広い範囲で当接してもよい。例えば、第１当接部６２ａ及び第２当接部６２ｂとアキュムレータ４０の外周面４０ａとは、アキュムレータ交点Ａ１，Ａ２から、アキュムレータ４０の中心Ｐ周りに±α度の範囲に位置するアキュムレータ４０の外周面４０ａの全体と当接してもよい。また、例えば、第１当接部６２ａ及び第２当接部６２ｂとアキュムレータ４０の外周面４０ａとは、アキュムレータ交点Ａ１，Ａ２から、アキュムレータ４０の中心Ｐ周りに±α度の範囲に位置するアキュムレータ４０の外周面４０ａの一部と、（上記実施形態のように１箇所ではなく）数箇所で当接してもよい。
【００５５】
第１当接部６２ａ及び第２当接部６２ｂは、平面視において、圧縮機本体１０の中心Ｏとアキュムレータ４０の中心Ｐとを結ぶ仮想直線に対して、対称に配置される。
【００５６】
αの値は、好ましくは４５である。つまり、第１当接部６２ａ及び第２当接部６２ｂは、それぞれ、２つのアキュムレータ交点Ａ１，Ａ２の一方から、アキュムレータ４０の中心Ｐ周りに±４５度の範囲に位置するアキュムレータ４０の外周面４０ａの少なくとも一部と当接することが好ましい。このような位置で、第１当接部６２ａ及び第２当接部６２ｂが、アキュムレータ４０の外周面４０ａと当接することで、圧縮機本体１０の円周方向に沿ってアキュムレータ４０を支持することができ、アキュムレータ４０の圧縮機本体１０の円周方向に沿った振動を抑制することができる。
【００５７】
αの値は、更に好ましくは２５である。つまり、第１当接部６２ａ及び第２当接部６２ｂは、それぞれ、２つのアキュムレータ交点Ａ１，Ａ２の一方から、アキュムレータ４０の中心Ｐ周りに±２５度の範囲に位置するアキュムレータ４０の外周面４０ａの少なくとも一部と当接することが更に好ましい。このような位置で、第１当接部６２ａ及び第２当接部６２ｂが、アキュムレータ４０の外周面４０ａと当接することで、圧縮機本体１０の円周方向に沿ってアキュムレータ４０が支持されやすく、アキュムレータ４０の圧縮機本体１０の円周方向に沿った振動が抑制されやすい。
【００５８】
また、上下方向に沿って見た時に、第１当接部６２ａ及び第２当接部６２ｂは、アキュムレータ交点Ａ１，Ａ２のできるだけ近傍でアキュムレータ４０の外周面４０ａと当接することが更に好ましい。特に、上下方向に沿って見た時に、第１当接部６２ａはアキュムレータ交点Ａ１でアキュムレータ４０の外周面４０ａと当接し、第２当接部６２ｂはアキュムレータ交点Ａ２でアキュムレータ４０の外周面４０ａと当接することが好ましい。このような位置で、第１当接部６２ａ及び第２当接部６２ｂが、アキュムレータ４０の外周面４０ａと当接することで、圧縮機本体１０の円周方向に沿ってアキュムレータ４０は特に支持されやすく、アキュムレータ４０の圧縮機本体１０の円周方向に沿った振動が特に抑制されやすい。
【００５９】
第１バンド支持部６４ａ及び第２バンド支持部６４ｂは、上下方向に沿ってみた時に、支持台５０の両端に配置される。より具体的には、第１バンド支持部６４ａ及び第２バンド支持部６４ｂは、上下方向に沿ってみた時に、支持台５０のアーム部材６０の両端に配置される。
【００６０】
第１バンド支持部６４ａ及び第２バンド支持部６４ｂは、それぞれ、第１当接部６２ａ及び第２当接部６２ｂの近傍に配置される。具体的には、第１バンド支持部６４ａは、第１当接部６２ａと隣接して配置される。第１バンド支持部６４ａは、第１当接部６２ａの端部であって、アーム６８とは反対側に配置される端部と連結されている。第１バンド支持部６４ａは、第１当接部６２ａから、圧縮機本体１０の中心Ｏ周りに略周方向に延びる。第２バンド支持部６４ｂは、第２当接部６２ｂと隣接して配置される。第２バンド支持部６４ｂは、第２当接部６２ｂの端部であって、アーム６８とは反対側に配置される端部と連結されている。第２バンド支持部６４ｂは、第２当接部６２ｂから、圧縮機本体１０の中心Ｏ周りに略周方向に延びる。
【００６１】
第１バンド支持部６４ａ及び第２バンド支持部６４ｂが、それぞれ、第１当接部６２ａ及び第２当接部６２ｂの近傍に配置されることで、第１バンド支持部６４ａ及び第２バンド支持部６４ｂは、アーム部材６０のアキュムレータ４０と接触する点の近傍に配置される。
【００６２】
第１バンド支持部６４ａ及び第２バンド支持部６４ｂには、それぞれ、バンド８０の両端の一方が取り付けられる。第１バンド支持部６４ａには、バンド８０の第１端８２が取り付けられる。第２バンド支持部６４ｂには、バンド８０の第２端８４が取り付けられる。第１バンド支持部６４ａ及び第２バンド支持部６４ｂには、固定部材８８によりバンド８０の両端の一方が取り付けられる。固定部材８８は、例えば、主にボルトとナットとを含み、ボルトをナットに螺合させることでバンド８０を第１バンド支持部６４ａ及び第２バンド支持部６４ｂに固定する。第１バンド支持部６４ａ及び第２バンド支持部６４ｂは、取り付けられたバンド８０を支持する。
【００６３】
（２−３−２）リブ
リブ７０は、平板上の部材である（図１参照）。リブ７０は、水平面に沿って広がる、平板上の部材である。リブ７０は、限定するものではないが、例えば金属製である。
【００６４】
リブ７０は、アーム部材６０から圧縮機本体１０側に延びる（図３参照）。具体的には、リブ７０は、アーム部材６０のアーム６８の圧縮機本体１０側の面から、圧縮機本体１０に向かって延びる。リブ７０は、アーム６８には、例えば溶接により固定されている。リブ７０は、平面視において、概ね三角形形状に形成されている（図３参照）。ただし、リブ７０は、圧縮機本体１０の円筒部２２の外周面２２ａに沿うように、外周面２２ａと対向する部分については、平面視において円弧状に形成されている。
【００６５】
リブ７０は、固定部７２においてケーシング２０の円筒部２２の外周面２２ａと固着されている（７２の符号を付した丸の位置を参照）。例えば、リブ７０は、固定部７２においてケーシング２０の円筒部２２の外周面２２ａと溶着されている。具体的には、リブ７０は、例えば、固定部７２においてケーシング２０の円筒部２２の外周面２２ａとスポット溶接により溶着されている。なお、リブ７０と円筒部２２の外周面２２ａとの固着方法は例示であって、リブ７０は、固定部７２においてにおいて円筒部２２の外周面２２ａと接着されてもよい。
【００６６】
平面視における、つまり、上下方向に沿って圧縮機ユニット１００を見た時の（特に、以下の説明では下向きに圧縮機ユニット１００を見た時の）、固定部７２の位置について、主に図３の断面図を参照しながら以下に説明する。
【００６７】
初めに、圧縮機本体交点Ｂ１，Ｂ２を定義する。圧縮機本体交点Ｂ１，Ｂ２は、それぞれ、圧縮機ユニット１００を下向きに見た時の、圧縮機本体１０の中心Ｏを通る仮想の２本のアキュムレータ４０の接線Ｌ１，Ｌ２と、圧縮機本体１０のケーシング２０の外周面２２ａとの交点である（図３参照）。
【００６８】
次に、固定部７２の位置について説明する。
【００６９】
下向きに見た時に、固定部７２は、圧縮機本体交点Ｂ１，Ｂ２よりも外側に張り出している。なお、下向きに見た時に、固定部７２が圧縮機本体交点Ｂ１，Ｂ２よりも外側に張り出しているとは、固定部７２が、圧縮機本体交点Ｂ１，Ｂ２よりも、アキュムレータ４０から遠ざかる側に配置されていることを意味する。圧縮機ユニット１００を下向きに見た時に、圧縮機本体１０の中心Ｏと、固定部７２とを結ぶ仮想直線は、アキュムレータ４０の外周面４０ａとは交差もせず接しもしない。
【００７０】
なお、ここでは、リブ７０の円筒部２２の外周面２２ａと対向する面は、その一部でのみ円筒部２２の外周面２２ａと固着されているが、リブ７０の円筒部２２の外周面２２ａと対向する面は、その全体が円筒部２２の外周面２２ａと固着されてもよい。この場合に、少なくともリブ７０の円筒部２２の外周面２２ａと対向する面の一部が、圧縮機本体交点Ｂ１，Ｂ２よりも外側に張り出すように構成される。つまり、支持台５０は、下向きに見た時に、圧縮機本体交点Ｂ１，Ｂ２よりも外側に張り出している固定部７２を有する。
【００７１】
また、ここでは、各リブ７０の円筒部２２の外周面２２ａと対向する面は、１箇所でのみ円筒部２２の外周面２２ａと固着されているが、各リブ７０の円筒部２２の外周面２２ａと対向する面は、複数箇所で円筒部２２の外周面２２ａと固着されてもよい。この場合に、各リブ７０の円筒部２２の外周面２２ａと対向し、外周面２２ａと固着される場所の少なくとも一部が、圧縮機本体交点Ｂ１，Ｂ２よりも外側に張り出すように構成される。つまり、支持台５０は、下向きに見た時に、圧縮機本体交点Ｂ１，Ｂ２よりも外側に張り出している固定部７２を有する。
【００７２】
なお、上述したアーム部材６０のアーム部材固定部６７は、圧縮機本体交点Ｂ１，Ｂ２よりも内側に位置する。そのため、圧縮機本体１０の中心Ｏと、アーム部材固定部６７とを結ぶ仮想直線は、アキュムレータ４０の外周面４０ａと交差する。上下方向に見た時に、圧縮機本体交点Ｂ１，Ｂ２よりも外側に張り出した固定部７２を有することで、アーム部材固定部６７だけで支持台５０をケーシング２０の円筒部２２の外周面２２ａと固着させた場合に比べ、支持台５０は圧縮機本体１０にしっかりと固定される。そのため、支持台５０が支持するアキュムレータ４０の振動が抑制されやすい。
【００７３】
（２−４）バンド
バンド８０は、アキュムレータ４０の外周面４０ａに巻き掛けられて、アキュムレータ４０を支持台５０に固定する部材である。バンド８０は、アキュムレータ４０の上下方向における中間部分に巻き掛けられている。なお、バンド８０がアキュムレータ４０に巻き掛けられるとは、バンド８０がアキュムレータ４０に直接巻き掛けられる場合だけではなく、バンド８０がアキュムレータ４０に他の部材を介して巻き掛けられる場合を含む。本実施形態では、バンド８０は、ゴム９０を介してアキュムレータ４０に巻き掛けられている。
【００７４】
バンド８０は、アキュムレータ４０の、圧縮機本体１０とは反対側に巻き掛けられる。具体的には、バンド８０の円弧状部分の内面が、ゴム９０を介して、アキュムレータ４０の外周面４０ａの圧縮機本体１０とは反対側に配置される側と対向するように、バンド８０がアキュムレータ４０に巻き掛けられる。バンド８０は、支持台５０の第１当接部６２ａ近傍から、支持台５０の第２当接部６２ｂ近傍まで、アキュムレータ４０に巻き掛けられている。バンド８０は、限定するものではないが、例えば金属製である。
【００７５】
バンド８０は、その両端が支持台５０に取り付けられる。具体的には、バンド８０の第１端８２は、支持台５０のアーム部材６０の第１バンド支持部６４ａに取り付けられる。またバンド８０の第２端８４は、支持台５０のアーム部材６０の第２バンド支持部６４ｂに取り付けられる。
【００７６】
バンド８０の第１端８２は第１バンド支持部６４ａに、バンド８０の第２端８４は第２バンド支持部６４ｂに、それぞれ固定部材８８により取り付けられる。固定部材８８は、例えば、ボルトとナットとを主に有し、ボルトをナットに螺合させることでバンド８０をバンド支持部６４ａ，６４ｂに固定する。ただし、バンド８０のバンド支持部への取り付け方法は例示であって、これに限定されるものではない。例えば、バンド８０の第１端８２は第１バンド支持部６４ａに引っ掛けて取り付けられ、バンド８０の第２端８４は第２バンド支持部６４ｂにボルトとナットとを主に有する固定部材８８で取り付けられてもよい。また、例えば、固定部材８８は、スナップ錠等であってもよい。
【００７７】
バンド８０は、例えば、アキュムレータ４０に巻き掛けられた後、第１端８２が第１バンド支持部６４ａに固定部材８８で取り付けられ、更に第２端８４を第２バンド支持部６４ｂに固定部材８８で取り付けられることで、アキュムレータ４０を支持台５０に押し付ける。具体的には、第２端８４を第２バンド支持部６４ｂに固定部材８８で取り付ける際にバンド８０に作用する張力によって、アキュムレータ４０は支持台５０の第１当接部６２ａ及び第２当接部６２ｂに（ゴム９０を介して）押し付けられる。
【００７８】
（２−５）ゴム
ゴム９０は、アキュムレータ４０の外周面４０ａに巻き掛けられている。ゴム９０は、アキュムレータ４０の外周面４０ａの全周ではなく、アキュムレータ４０の外周面４０ａの周方向における一部に巻き掛けられている。ゴム９０は、アキュムレータ４０とバンド８０との間、及び、アキュムレータ４０と支持台５０との接触箇所との間に配置される。その結果、アキュムレータ４０とバンド８０及び支持台５０とは、直接接触せず、ゴム９０を介して接触する。ゴム９０の幅（上下方向の高さ）は、バンド８０の幅（上下方向の高さ）とほぼ同一に構成されている。
【００７９】
（３）特徴
（３−１）
上記実施形態に係る圧縮機ユニット１００は、圧縮機本体１０と、上下方向に延びる円柱状のアキュムレータ４０と、アキュムレータ４０を支持する支持台５０と、バンド８０と、を備える。上下方向は、第１方向の一例である。アキュムレータ４０は、圧縮機本体１０に吸込管３０を介して接続されている。支持台５０は、圧縮機本体１０のケーシング２０の側面に固定されている。支持台５０は、アキュムレータ４０と少なくとも第１当接部６２ａ及び第２当接部６２ｂにおいて当接する。バンド８０は、支持台５０にそれぞれ取り付けられる。バンド８０は、アキュムレータ４０に巻き掛けられてアキュムレータ４０を支持台５０に固定する。上下方向に沿って見た時に、第１当接部６２ａ及び第２当接部６２ｂは、それぞれ、２つのアキュムレータ交点Ａ１，Ａ２の一方から、アキュムレータ４０の中心Ｐ周りに±４５度の範囲に位置するアキュムレータ４０の外周面４０ａの少なくとも一部と当接する。具体的には、下向きに見た時に、第１当接部６２ａは、アキュムレータ交点Ａ１から、アキュムレータ４０の中心Ｐ周りに±４５度の範囲に位置するアキュムレータ４０の外周面４０ａの一部と当接する。また、下向きに見た時に、第２当接部６２ｂは、アキュムレータ交点Ａ２から、アキュムレータ４０の中心Ｐ周りに±４５度の範囲に位置するアキュムレータ４０の外周面４０ａの一部と当接する。アキュムレータ交点Ａ１，Ａ２は、上下方向に見た時に、圧縮機本体１０の中心Ｏを円弧中心とし且つアキュムレータ４０の中心Ｐを通る円弧Ｃ１とアキュムレータ４０の外周面４０ａとが交わる交点である。上下方向に沿って見た時に、支持台５０は、圧縮機本体１０の中心Ｏを通る２本のアキュムレータ４０の接線Ｌ１，Ｌ２と圧縮機本体１０のケーシング２０の外周面２２ａとの２つの圧縮機本体交点Ｂ１，Ｂ２よりも外側に張り出した固定部７２を有する。少なくとも支持台５０の固定部７２は、圧縮機本体１０のケーシング２０の外周面２２ａに固着されている。具体的には、下向きに見た時に、支持台５０は、圧縮機本体１０の中心Ｏを通るアキュムレータ４０の接線Ｌ１と圧縮機本体１０のケーシング２０の外周面２２ａとの圧縮機本体交点Ｂ１よりも外側に張り出した固定部７２を有する。また、下向きに見た時に、支持台５０は、圧縮機本体１０の中心Ｏを通るアキュムレータ４０の接線Ｌ２と圧縮機本体１０のケーシング２０の外周面２２ａとの圧縮機本体交点Ｂ２よりも外側に張り出した固定部７２を有する。
【００８０】
上記実施形態に係る圧縮機ユニット１００では、上下方向に沿って見た時に、支持台５０が、アキュムレータ４０の中心Ｐ周りにアキュムレータ交点Ａ１，Ａ２から±４５度の範囲に位置するアキュムレータ４０の外周面４０ａと当接している。これにより、圧縮機本体１０の円周方向にアキュムレータ４０がしっかりと支持される。そのため、第１当接部６２ａ及び第２当接部６２ｂが上記の範囲よりも圧縮機本体１０側でアキュムレータ４０に当接する場合に比べ、圧縮機本体１０の円周方向に沿ったアキュムレータ４０の振動を支持台５０により抑制し、騒音発生を抑制することができる。また、ここでは、上下方向に沿って見た時に、支持台５０が、圧縮機本体１０交点よりも外側に張り出して圧縮機本体１０の側面に固着されている固定部７２を有している。そのため、支持台５０の変形や振動を抑えて、アキュムレータ４０の振動を容易に抑制することができる。
【００８１】
なお、圧縮機ユニット１００では、上下方向に沿って見た時に、第１当接部６２ａ及び第２当接部６２ｂは、それぞれ、アキュムレータ交点Ａ１，Ａ２の一方から、アキュムレータ４０の中心周りに±２５度の範囲に位置するアキュムレータ４０の外周面４０ａの少なくとも一部と当接することが好ましい。具体的には、下向きに見た時に、第１当接部６２ａは、アキュムレータ交点Ａ１から、アキュムレータ４０の中心Ｐ周りに±２５度の範囲に位置するアキュムレータ４０の外周面４０ａの一部と当接することが好ましい。また、下向きに見た時に、第２当接部６２ｂは、アキュムレータ交点Ａ２から、アキュムレータ４０の中心Ｐ周りに±２５度の範囲に位置するアキュムレータ４０の外周面４０ａの一部と当接することが好ましい。
【００８２】
この構成により、圧縮機本体１０の円周方向にアキュムレータ４０がより確実に支持される。そのため、圧縮機本体１０の円周方向に沿ったアキュムレータ４０の振動を支持台５０によって抑制し、騒音の発生を抑制することがより容易である。
【００８３】
圧縮機ユニット１００では、上下方向に沿って見た時に、第１当接部６２ａ及び第２当接部６２ｂは、アキュムレータ交点Ａ１，Ａ２のできるだけ近傍でアキュムレータ４０の外周面４０ａと当接することが更に好ましい。特に、圧縮機ユニット１００では、下向きに見た時に、第１当接部６２ａはアキュムレータ交点Ａ１でアキュムレータ４０の外周面４０ａと当接し、第２当接部６２ｂはアキュムレータ交点Ａ２でアキュムレータ４０の外周面４０ａと当接することが好ましい。
【００８４】
（３−２）
上記実施形態に係る圧縮機ユニット１００では、バンド８０の両端（第１端８２及び第２端８４）は、上下方向に沿って見た時に支持台５０の両端に配置される支持台５０の第１バンド支持部６４ａ及び第２バンド支持部６４ｂにそれぞれ取り付けられている。第１バンド支持部６４ａ及び第２バンド支持部６４ｂは、それぞれ、第１当接部６２ａ及び第２当接部６２ｂの近傍に配置される。好ましくは、第１バンド支持部６４ａ及び第２バンド支持部６４ｂは、それぞれ、第１当接部６２ａ及び第２当接部６２ｂに隣接して配置される。
【００８５】
上記実施形態に係る圧縮機ユニット１００では、バンド支持部６４ａ，６４ｂを当接部６２ａ，６２ｂの近傍に配置することで、バンド８０によりアキュムレータ４０を支持台５０にしっかりと固定することが容易である。
【００８６】
（３−３）
上記実施形態に係る圧縮機ユニット１００では、支持台５０は、アーム部材６０と、リブ７０と、を含む。アーム部材６０は、第１当接部６２ａ及び第２当接部６２ｂを有する。リブ７０は、アーム部材６０から圧縮機本体１０側に延びる。リブ７０は、固定部７２を有する。
【００８７】
上記実施形態に係る圧縮機ユニット１００では、支持台５０の大型化・重量化を抑制しつつ、支持台５０に必要な強度を与え、圧縮機本体１０の円周方向に沿ったアキュムレータ４０の振動を抑制することが容易である。
【００８８】
（３−４）
上記実施形態に係る圧縮機ユニット１００では、バンド８０は金属製である。アキュムレータ４０とバンド８０との間、及び、アキュムレータ４０と支持台５０との接触箇所の間、にはゴム９０が配置される。
【００８９】
上記実施形態に係る圧縮機ユニット１００では、アキュムレータ４０と、バンド８０又は支持台５０とが片当たりすることを防止し、アキュムレータ４０をしっかりと固定することができる。
【００９０】
（３−５）
上記実施形態に係る圧縮機ユニット１００では、アキュムレータ４０は、バンド８０に作用する張力によって支持台５０に押し付けられる。
【００９１】
上記実施形態に係る圧縮機ユニット１００では、バンド８０に作用する張力によってアキュムレータ４０を支持台５０に押し付け、アキュムレータ４０をしっかりと支持台５０に固定することが可能である。
【００９２】
（４）変形例
以下に、上記実施形態の変形例を示す。以下の変形例は、互いに矛盾しない範囲で複数組み合わされてもよい。
【００９３】
（４−１）変形例Ａ
上記実施形態に係る圧縮機ユニット１００では、バンド支持部６４ａ，６４ｂが、当接部６２ａ，６２ｂに隣接して配置される。
【００９４】
しかし、本願発明に係る圧縮機ユニットの構成は、上記実施形態の構成に限定されるものではない。バンド支持部６４ａ，６４ｂは、当接部６２ａ，６２ｂと隣接していなくてもよい。また、バンド支持部６４ａ，６４ｂは、当接部６２ａ，６２ｂの近傍ではなく、当接部６２ａ，６２ｂと離して配置されてもよい。
【００９５】
（４−２）変形例Ｂ
上記実施形態に係る圧縮機ユニット１００では、支持台５０はリブ７０を含む。ただし、本願発明に係る圧縮機ユニットの構成は、上記の構成に限定されるものではなく、支持台はリブを有さなくてもよい。
【００９６】
例えば、他の形態の圧縮機ユニットでは、支持台１５０はリブ７０を有しない（図４参照）。支持台１５０のアーム部材１６０の連結部６６は、上下方向に沿って見た時に、圧縮機本体交点Ｂ１，Ｂ２よりも外側に張り出した固定部１７２を有する。固定部１７２は、圧縮機本体１０のケーシング２０の外周面２２ａに固着されている。
【００９７】
（４−３）変形例Ｃ
上記実施形態に係る圧縮機ユニット１００では、バンド８０は金属製である。バンド８０は、耐久性等の観点からは金属製が好ましいが、金属製でなくてもよい。バンド８０は、例えば、樹脂等の他の材質で作られてもよい。
【００９８】
（４−４）変形例Ｄ
上記実施形態に係る圧縮機ユニット１００では、支持台５０は、第１当接部６２ａ及び第２当接部６２ｂでのみアキュムレータ４０と当接するが、これに限定されるものではない。例えば、支持台５０は、更に連結部６６の外周面がアキュムレータ４０と当接するように構成されてもよい。
【００９９】
（４−５）変形例Ｅ
上記実施形態では、第１当接部６２ａ及び第２当接部６２ｂは、平面視において、圧縮機本体１０の中心Ｏとアキュムレータ４０の中心Ｐとを結ぶ仮想直線に対して、対称に配置される。ただし、これに限定されるものではなく、第１当接部６２ａ及び第２当接部６２ｂは、前記の仮想直線に対し非対称に配置されてもよい。
【０１００】
ただし、アキュムレータ４０の、圧縮機本体１０の周方向に沿った振動を抑制するためには、第１当接部６２ａ及び第２当接部６２ｂは、前記の仮想直線に対し対称に配置されることが好ましい。
【産業上の利用可能性】
【０１０１】
本発明は、圧縮機本体の側面に固定された支持台にバンドが取り付けられ、バンドによりアキュムレータが支持台に固定される圧縮機ユニットに広く適用可能で有用である。
【符号の説明】
【０１０２】
１０  圧縮機本体
２２ａ  圧縮機本体の外周面
３０  吸込管
４０  アキュムレータ
４０ａ  アキュムレータの外周面
５０，１５０  支持台
６０  アーム部材
６２ａ  第１当接部
６２ｂ  第２当接部
６４ａ  第１バンド支持部
６４ｂ  第２バンド支持部
７０  リブ
７２，１７２  固定部
８０  バンド
８２  第１端（バンドの端）
８４  第２端（バンドの端）
９０  ゴム
１００  圧縮機ユニット
Ａ１，Ａ２  アキュムレータ交点
Ｂ１，Ｂ２  圧縮機本体交点
Ｃ１  円弧
Ｌ１，Ｌ２  接線
Ｏ  圧縮機本体の中心
Ｐ  アキュムレータの中心
【先行技術文献】
【特許文献】
【０１０３】
【特許文献１】特開２００７−４６５７２号公報
【図１】
2018035711.tif 000003
【図２】
2018035711.tif 000004
【図３】
2018035711.tif 000005
【図４】
2018035711.tif 000006